(57)【要約】      （修正有）【課題】土壌栽培の長所と水耕栽培の長所とが得られ、しかも設備コストが安価である堆肥水耕栽培装置を提供する。【解決手段】堆肥水耕栽培装置は、所定の養液１６が溜められた栽培槽１２と、両端が開口した筒形状を有し、養液内に設置されて下端が栽培槽の底部に支持され、網目状の支持部で塞がれた上端が養液の水面付近に位置している網目状の支持部材２０と、両端が開口した筒形状を有し、内部に堆肥が収容され、支持部材の支持部に載せられた網目状の堆肥ポット３０とを含む。堆肥ポットの堆肥に植えた植物３４の根が、堆肥ポットから放射状に延びるとともに、支持部材の支持部を貫通して養液内に延びている。【選択図】図１
0003166437.tif 000002
【実用新案登録請求の範囲】
【請求項１】
所定の養液が溜められた栽培槽と、
両端が開口した筒形状を有し、前記栽培槽の前記養液内に上下方向に設置されて下端が前記栽培槽の底部に支持され、網目状の支持部で塞がれた上端が前記養液の水面付近に位置している網目状の支持部材と、
両端が開口した筒形状を有し、内部に堆肥が収容され、前記支持部材の前記支持部に載せられた堆肥ポットと、を含み、
前記堆肥ポットの前記堆肥に植えた植物の根が該堆肥内に延びるとともに、前記支持部材の前記支持部の隙間を貫通して前記養液内に延びていることを特徴とする堆肥水耕栽培装置。
【請求項２】
前記堆肥ポットは網目状であり、前記植物の前記根は該堆肥ポットの隙間を貫通して放射状に延びている請求項１に記載の堆肥水耕栽培装置。
【請求項３】
前記堆肥ポットに収容された前記堆肥は植物系残さを自然発酵させたものであり、前記栽培槽に溜められた養液は水に有機肥料を投入したものである請求項２に記載の堆肥水耕栽培装置。
【請求項４】
更に、前記栽培槽内の前記養液を循環させる養液循環槽装置を含む請求項３に記載の堆肥水耕栽培装置。
【考案の詳細な説明】
【技術分野】
【０００１】
本考案は、植物を堆肥及び養液にて栽培する植物の堆肥水耕栽培装置に関する。
【背景技術】
【０００２】
野菜、果樹などの植物を土壌で栽培する場合、化学肥料を使用するやり方と、有機肥料（堆肥）を使用するやり方とが知られている。化学肥料は植物に早く吸収され発育を促進する点で優れるが、その反面有害菌が発生しやすいなどの欠点がある。有機肥料（堆肥）は病害が発生しにくい点で優れている。一方、植物を土壌で栽培する方法の他に、植物を養液で栽培する方法も知られており、一般に水耕栽培と呼ばれている。水耕栽培は、土壌栽培に比べて、植物を短期間に栽培でき、病害の発生が少ないなどの長所がある。
【０００３】
上記土壌栽培の長所及び短所、水耕栽培の長所及び短所を考慮して、従来から土壌栽培と水耕栽培とを組み合わせることが試みられている。例えば、特開平２００６−６７９９９号（第１従来例）では、植物の根に直接ミスト状の液体肥料を供給する、植物の根が下方に向かって自由に伸長可能な底面を有する栽培培地容器を架台上に設置した栽培ベッドを使用し、この栽培培地容器に、培養土を含有する無菌化処理を施した栽培培地を敷き詰めて幼樹を育成すると共に、架台の下方の空間の開放面を遮光可能な素材で覆ってミスト噴霧室とし、該ミスト噴霧室の上方から下方に向かって液滴の大きさが５０ミクロン以下の液体肥料ミストを噴霧している。
また、特開平２００６−６３０１号（第２従来例）では、上部に栽培槽を有し、下部に養液を蓄えた養液槽を備え、養液を揚水するために揚水ポンプを栽培槽に取り付け、栽培槽には小粒の軽石を敷き詰め、養液槽の底部には栽培槽に敷き詰めたのと同様の軽石を敷き詰め、養液槽の軽石の下方に気泡発生用のエアーマットを敷き、このエアーマットと揚水ポンプにエアーポンプを接続して、養液中に気泡を送り込むと同時に養液の揚水を行う。養液槽内の養液の成分は十分に発酵分解された汚泥や堆肥成分に積極的に酵母菌や放射菌や乳酸菌などの有用菌を付加した有機肥料成分を肥料とする。
【考案の概要】
【考案が解決しようとする課題】
【０００４】
上記第１従来例によれば、土壌栽培と水耕栽培との長所をある程度享受できる。しかし、部品点数が多く、設備が大がかりになり、その結果多大な費用が必要となる。また、上記第２従来例の栽培方法は実質的に水耕栽培であり、水耕栽培の長所はある程度得られるが、土壌栽培の長所が得られ難い。
本考案は、上記事情を背景としてなされたものであり、土壌栽培の長所と水耕栽培の長所とが得られ、しかも設備コストが安価である堆肥水耕栽培装置を提供することを目的としてなされたものである。
【課題を解決するための手段】
【０００５】
上記目的を達成するために、本考案の堆肥水耕栽培装置は、所定の養液が溜められた栽培槽と、両端が開口した筒形状を有し、前記栽培槽の前記養液内に設置されて下端が前記栽培槽の底部に支持され、網目状の支持部で塞がれた上端が前記養液の水面付近に位置している網目状の支持部材と、両端が開口した筒形状を有し、内部に堆肥が収容され、前記支持部材の前記支持部に載せられた堆肥ポットと、を含み、前記堆肥ポットの前記堆肥に植えた植物の根が、該堆肥内に延びるとともに、前記支持部材の前記支持部を貫通して前記養液内に延びていることを特徴とする。
【０００６】
本考案によれば、植物に病害が発生し難いという土壌（堆肥）栽培の長所と、植物の成長が早くしかも病害が発生し難いという水耕栽培の長所との両方の長所が享受できる。  また、この水耕栽培装置は、栽培槽、支持部材及び堆肥ポットを含むのみであり、簡単な構成で、部品点数も少ない。従って、設備コストを安価に出来る。
【実施例】
【０００７】
以下、本考案の好適な実施例を図面に基づき説明する。図１は、本考案にかかる堆肥水耕栽培装置１０の構成を示す説明図である。図１に示すように、この堆肥水耕栽培装置１０は、栽培槽１２と、支持部材２０と、堆肥ポット３０と、養液循環槽装置４０とを含む。栽培槽１２は、上方に開口した箱形状を有し、底壁部１４及び４つの側壁部１５を有し、その内部には所定高さまで養液１６が溜められている。養液１６は後述する養液循環槽装置４０により供給されるとともに、養液循環槽装置４０に排出される。栽培槽１２の開口は例えば発泡スチロールから成る蓋部材１７で覆われている。
【０００８】
図２に示すように、支持部材２０は、上下両端が開口した網目状の筒形状を有し、上端から下端に向かって直径が漸増しており、例えば細木を網目状に編むことにより形成されたものである。上端の開口は、支持部材２０とは別の部材から成る網目状のカバー（支持部）２２で覆われている。支持部材２０はその下端２４が栽培槽１２の底壁部１４により支持され、支持部１８が養液１６の水面Ｌ付近に位置するように、栽培槽１２の養液１６内にセットされている。
【０００９】
堆肥ポット３０は、上下両端が開口した筒形状を有し、下端の直径は支持部材２０の支持部２２の直径と同程度である。堆肥ポット３０の内部に収容された堆肥（有機肥料）３２は、植物系残さを自然発酵させたものである。尚、堆肥ポット３０は上記支持部材２０の支持部２２に載せられており、従って養液１６には浸されていない
【００１０】
堆肥ポット３０内には植物３４、例えば野菜（具体的にはトマト）が植えられ、その根元部３５が堆肥３２内に埋められている。トマト３４の根３６は網目状の堆肥ポット３０から放射状に延びるとともに、支持部材２０の網目状の支持部１８を貫通して支持部材２０内に延びて養液１６に浸され、さらに網目状の支持部材２０を内側から外側に貫通して養液１６内に浸されている。
【００１１】
次に、図１に戻り、水耕栽培装置１０に養液１６を循環（供給及び排出）する養液循環装置４０について説明する。養液循環装置４０は、循環槽４２、養液くみ上げポンプ４４及びエアーポンプ４８などを含む。循環槽４２は上方が開口したタンク形状を有し、その内部空間に養液１６が溜められている。養液１６は循環槽４２に溜めた水道水に、例えば魚粉やカキ殻などの有機肥料４５を投入することにより生成されたものである。
【００１２】
くみ上げポンプ４４は循環槽４２内の底壁部４３上にセットされており、養液１６をくみ上げ供給パイプ４６を通して上記水耕栽培装置１０の栽培槽１２に供給するようになっており、栽培槽１２内のオーバーフローした養液１６は排水パイプ４７を通して循環槽４２に排出される（戻される）。エアーポンプ４８は循環槽４２の外にセットされており、その供給パイプ４９が養液１６内に延びて、養液１６にエアー（空気）を混入させるものである。
【００１３】
次に、本考案の堆肥水耕栽培装置１０によるトマト３４の栽培につき説明する。
予め畑などで栽培したトマト３４の幼樹が所定の大きさになったならば、堆肥ポット３０に移植する。堆肥ポット３０には所定深さまで堆肥３２が収容されており、この堆肥３２内にトマト３４の根元部３５を植える。こうして、トマト３４の幼樹が植えられた堆肥ポット３０を複数個準備する。
【００１４】
栽培槽１２内に所定深さＬまで溜められた養液１６は養液循環槽装置４０により常時循環されている。栽培槽１２の養液１６内に複数の支持部材２０が所定間隔で浸され（沈められ）、その下端２４が栽培槽１２の底壁１４で支持されている。各支持部材２０の支持部２２に、トマト３４の幼樹が植えられた各堆肥ポット３０を載せる。栽培槽１２をトマト３４の栽培に適した所定場所（例えばビニールハウス）にセットし、その上方開口を蓋部材１７で覆う。これにより、断熱効果のおかげで、根元部３５からの根３６の発根が促進される。
【００１５】
初めの間は、トマト３４の根３６は堆肥ポット３０内の堆肥３２内に延び、更に堆肥ポット３０の網目の隙間から放射状に延び、トマト３４はもっぱら堆肥３２で栽培される。その後、トマト３４の根３６は、支持部２２の網目の隙間を貫通して支持部材２０内に延び、更に支持部材２０の網目を内側から外部に貫通し、養液１６に浸される。こうして、トマト３４は、初期は主に堆肥ポット３０内の堆肥３２で、中期は堆肥３２及び栽培槽１２内の養液１６の両方で、後期は主に養液１６で栽培される。
【００１６】
堆肥ポット３０の堆肥３２では、周りの空気層により有機微生物と酸素が入り、団粒構造を形成する。従って、保水性及び通気性に優れ、根３６の発育を促進する。更に、養液１６中の有機成分を分解することにより、窒素、リン酸、カリウムが生成され、発育を促進する。養液１６は、有機肥料４５とエアーポンプ４８で混入された空気（酸素）が、堆肥３２に宿る有機微生物を活性化し、トマト３４の成長を促進するとともに、病害の発生を防止する。
【００１７】
本実施例の水耕栽培装置１０によれば、以下の効果が得られる。まず、トマト３４に病害が発生し難いという土壌（堆肥）栽培の長所と、トマトの成長が早くしかも病害が発生し難いという水耕栽培の長所との両方の長所が享受できる。
また、この水耕栽培装置１０は、栽培槽１２、支持部材２０及び堆肥ポット３０などを含むのみであり、簡単な構成で、部品点数も少ない。従って、設備コストを安価に出来る。
更に、養液循環槽装置４０により栽培槽１２に常に新しい養液１６が供給され、有機肥料４５とエアーポンプ４８で混入された空気（酸素）が、堆肥３２に宿る有機微生物を活性化し、トマト３４の成長を促進するとともに、病害の発生を防止する。
【００１８】
上述したのは本考案の一つの実施例にすぎず、本考案はこれに限定されるものではない。例えば、一つの堆肥ポット３０に植えるトマトの本数は１本ではなく、２本又はそれ以上であっても良い。堆肥ポット３０は網目状でなく、容器状であっても良い。この場合、トマト３４の根３６は堆肥ポットから放射状に延びることはできず、容器状の堆肥ポットの堆肥３２内で延びる。支持部材２０の直径は全体にわたって一定でも良く、堆肥ポット３０の直径は漸変しても良い。養液１６を生成するために水道水に投入する有機肥料４５としては牛糞、鶏糞、カツオ節でも良い。植物はトマト３４の他にも葉菜類、根菜類、果樹であっても良い。
【図面の簡単な説明】
【００１９】
【図１】本考案の好適な実施例を説明する全体説明図である。
【図２】図１の要部拡大断面図である。
【符号の説明】
【００２０】
１０：水耕栽培装置    
１２：栽培槽      
１６：養液        
２０：支持部材      
２２：支持部    
３０：堆肥ポット      
３２：堆肥      
３４：植物      
３６：根
【図１】
0003166437.tif 000003
【図２】
0003166437.tif 000004